(57)【要約】    【課題】  案内部材にたわみが生じることがなく、レンズの位置精度を向上させ、省スペース化を実現することを可能としたレンズ鏡筒及び撮像装置を提供する。    【解決手段】  レンズ鏡筒１は、前部筐体２、後部筐体３、レンズホルダ４、ガイドバー５、６、ばね７、８、Ｅ型止め輪９、１０を備える。ガイドバー５、６にばね７、８を挿入し、ばね支持部５ａ、６ａに当接させた後、ガイドバー５、６を後端から前部筐体２のガイドバー支持孔２ａ、２ｂに挿入する。更に、ガイドバー５、６をレンズホルダ４のスリーブ部４ａ、Ｕ字溝４ｂに挿入した後、後部筐体３のガイドバー支持孔３ａ、３ｂに挿入する。更に、ばね７、８を圧縮しつつ、ガイドバー５、６の前端を押し込み、ガイドバー５、６の係合溝５ｂ、６ｂにＥ型止め輪９、１０を係合させる。【選択図】      図１
2006215340.tif 000002
【特許請求の範囲】
【請求項１】
レンズを保持するレンズ保持部材が収納されるレンズ鏡筒において、
複数の筐体と、
前記複数の筐体を光軸方向に連結すると共に前記レンズ保持部材を支持して光軸方向に案内する案内部材と、
前記案内部材の一方の端部を光軸方向に付勢する付勢手段と、
前記案内部材の他方の端部の光軸方向の位置を規制する規制部材とを備えることを特徴とするレンズ鏡筒。
【請求項２】
前記付勢手段及び前記規制部材は、前記案内部材に対して光軸方向に引張力を作用させ且つ前記複数の筐体を光軸方向に圧縮する状態に配設されることを特徴とする請求項１記載のレンズ鏡筒。
【請求項３】
前記付勢手段は、弾性体であることを特徴とする請求項１又は２記載のレンズ鏡筒。
【請求項４】
前記弾性体は、前記案内部材と同軸に前記複数の筐体の連結方向一端部側に配設され、前記案内部材の一方の端部から他方の端部に向かう方向に圧縮されるコイルバネであることを特徴とする請求項３記載のレンズ鏡筒。
【請求項５】
前記規制部材は、前記案内部材の他方の端部に着脱可能に係合され、前記他方の端部を前記複数の筐体の連結方向他端部に固定する部材であることを特徴とする請求項１又は２記載のレンズ鏡筒。
【請求項６】
レンズを保持するレンズ保持部材が収納されるレンズ鏡筒において、
複数の筐体と、
前記複数の筐体を光軸方向に連結すると共に前記レンズ保持部材を支持して光軸方向に案内する案内部材と、
前記案内部材の一方の端部を前記複数の筐体の連結方向一端部に係止する係止部材と、
前記案内部材の他方の端部の光軸方向の位置を規制する規制部材とを備えることを特徴とするレンズ鏡筒。
【請求項７】
前記係止部材及び前記規制部材は、前記案内部材に対して光軸方向に引張力を作用させ且つ前記複数の筐体を光軸方向に圧縮する状態に配設されることを特徴とする請求項６記載のレンズ鏡筒。
【請求項８】
前記規制部材は、前記案内部材の他方の端部に着脱可能に締結され、前記他方の端部を前記複数の筐体の連結方向他端部に固定する部材であることを特徴とする請求項６又は７記載のレンズ鏡筒。
【請求項９】
前記案内部材は、前記レンズ保持部材に保持されるレンズの径方向外方で且つ光軸中心に対し略点対称もしくは線対称の位置に配設されることを特徴とする請求項１又は６記載のレンズ鏡筒。
【請求項１０】
前記請求項１乃至９の何れかに記載のレンズ鏡筒が装着されることを特徴とする撮像装置。
【発明の詳細な説明】
【技術分野】
【０００１】
本発明は、例えばビデオカメラやスチルカメラ等の撮像装置に装着され、ズーム系もしくはフォーカス系の可動レンズを保持する部材を光軸方向に進退移動させる駆動機構を備えたレンズ鏡筒及び撮像装置に関する。
【背景技術】
【０００２】
近年、ビデオカメラやスチルカメラ等の撮像装置の小型化に伴い、レンズ鏡筒の小径化及び小型化が著しい。これに伴い、レンズ鏡筒の内部に配設される各部品も、同様に大幅な小型化が求められる。
【０００３】
従来、レンズ鏡筒においては、ロッドまたはガイドバーと呼ばれる細い軸を介してレンズホルダをレンズ鏡筒内部の空間に支持する構造が広く用いられている（例えば、特許文献１参照）。以下、従来のレンズ鏡筒におけるガイドバーによるレンズホルダ支持構造について図７を参照しながら説明する。
【０００４】
図７は、従来例に係るレンズ鏡筒の構成を示す分解斜視図である。
【０００５】
図７において、固定筐体１０１は、第１群レンズＬ１を固定し保持している。第２群レンズホルダ１０５は、ズーミングを行う第２群レンズＬ２を保持している。第４群レンズホルダ１０７は、ズーミングを行う第４群レンズＬ４を保持している。第２群レンズホルダ１０５及び第４群レンズホルダ１０７は、２本のガイドバー１０６ａ、１０６ｂを介して光軸方向へ移動自在に保持されている。２本のガイドバー１０６ａ、１０６ｂは、各々の両端が、固定筐体１０１及び後部鏡筒１０２に各々設けられた穴形状の保持部に圧入されることにより、その位置が定められると共に保持がなされている。
【０００６】
尚、図中、１０４は第３群レンズＬ３を保持した第３群レンズホルダ、１０８はＩＧメータ、１０９はズームモータ、１１０及び１１３はラック、１１１及び１１４はばね、１１５及び１１７はインタラプタ、１１６及び１１８は基板であり、細部の説明は省略する。
【０００７】
また、一般に、上述の固定筐体１０１及び後部鏡筒１０２のような、レンズ鏡筒を構成する筐体は、組立性を重視するために複数に分割される場合が多い。これら分割された複数の筐体は、ダボ（合わせ面に設ける小突起）または位置規制面等により、互いの光軸に垂直な面での位置を定められた後、数本のねじで固定される。更に、前記ねじの代わりに、粘着テープを複数の筐体の接合部に貼付することで、複数の筐体を固定する場合もある。
【特許文献１】特開２００４−９４１７２号公報（第６頁、図２）
【発明の開示】
【発明が解決しようとする課題】
【０００８】
しかしながら、上記図７に示した従来のレンズ鏡筒におけるガイドバーの保持構造においては、ガイドバーの小径化が著しくなると、小径化に伴うガイドバーの剛性不足から、レンズ及びレンズホルダの自重等によってガイドバー自身がたわむという問題が発生する。
【０００９】
更に、従来のレンズ鏡筒におけるガイドバーの両端を筐体の穴形状の保持部に圧入する構造では、ガイドバーの剛性が低い場合においては、ガイドバーの両端を穴形状の保持部に圧入した際に、圧入に伴いガイドバーに作用する圧縮力によってもガイドバーにたわみが生じる可能性がある。
【００１０】
上記のようにガイドバーにたわみが発生すると、ガイドバーに保持されるレンズホルダの内部のレンズの位置精度が悪くなり、撮像装置で撮影した画像の画質劣化の大きな原因の一つとなる。そのため、従来のレンズ鏡筒においては、ガイドバーの径はたわみを生じない程度の径（φ１．２〜φ２．０）が主流であり、小径でもφ１．０が限界とされている。
【００１１】
しかし、ガイドバーは、レンズ鏡筒の内部において光軸方向（レンズ鏡筒の長手方向）の全域に渡って配置されることが多い。このため、シャッタ羽根等の他の部品との干渉を避けねばならない箇所が多数あり、ガイドバーの径はレンズ鏡筒全体のサイズに大きく影響する。従って、更なるレンズ鏡筒の小型化を実現しようとした場合、ガイドバー及びそれを受けるスリーブ部の小径化は必須であり、ガイドバーのたわみを抑えつつ小径化させる技術が要望されている。
【００１２】
また、上記構造を有する従来のレンズ鏡筒を小型化しようとした場合、レンズ鏡筒全体のサイズに対し、固定用ねじ及びそれを受ける雌ねじ部の占めるスペースが相対的に大きくなり、レンズ鏡筒の小型化の妨げになるという問題がある。
【００１３】
一般に、樹脂製の部材に係合させる場合の小径ねじは、Ｍ１．４〜１．７程度が主流であり、小径ねじをこれ以上小径化すると、必要な強度が確保できなくなる。即ち、レンズ鏡筒本体を小型化しても、ねじのサイズは変わらないこととなり、相対的にねじのサイズが大きくなってしまうことになる。
【００１４】
このような問題を解決するために、レンズ鏡筒を構成する複数の筐体を粘着テープを用いて固定した製品も見受けられる。この場合、レンズ鏡筒内部における筐体固定に必要なスペースは粘着テープの厚み分でよいため、複数の筐体をねじで固定した場合と比較して省スペース化には有利である。しかし、粘着テープによる固定では、熱及び衝撃等に対する耐久性が劣るという問題がある。
【００１５】
本発明の目的は、案内部材にたわみが生じることがなく、レンズの位置精度を向上させ、省スペース化を実現することを可能としたレンズ鏡筒及び撮像装置を提供することにある。
【課題を解決するための手段】
【００１６】
上述の目的を達成するために、本発明のレンズ鏡筒は、レンズを保持するレンズ保持部材が収納されるレンズ鏡筒において、複数の筐体と、前記複数の筐体を光軸方向に連結すると共に前記レンズ保持部材を支持して光軸方向に案内する案内部材と、前記案内部材の一方の端部を光軸方向に付勢する付勢手段と、前記案内部材の他方の端部の光軸方向の位置を規制する規制部材とを備えることを特徴とする。
【００１７】
上述の目的を達成するために、本発明のレンズ鏡筒は、レンズを保持するレンズ保持部材が収納されるレンズ鏡筒において、複数の筐体と、前記複数の筐体を光軸方向に連結すると共に前記レンズ保持部材を支持して光軸方向に案内する案内部材と、前記案内部材の一方の端部を前記複数の筐体の連結方向一端部に係止する係止部材と、前記案内部材の他方の端部の光軸方向の位置を規制する規制部材とを備えることを特徴とする。
【発明の効果】
【００１８】
本発明によれば、案内部材により複数の筐体を光軸方向に連結し、付勢手段により案内部材の一方の端部を付勢し、規制部材により案内部材の他方の端部の光軸方向の位置を規制することで、十分に剛性を確保できない小径の案内部材を用いた場合でも、案内部材にたわみが生じることがなく、案内部材により精度良くレンズ保持部材を支持することができるため、レンズの位置精度を向上させることができる。
【００１９】
また、案内部材に対して光軸方向に引張力を作用させ且つ複数の筐体を光軸方向に圧縮することで、従来のように筐体固定用ねじを使用したり該ねじの受け部を配設したりすることなく、複数の筐体を確実に固定することができると共に、レンズ鏡筒内部の省スペース化を実現することができる。
【００２０】
また、付勢手段をコイルバネを含む弾性体とすることで、複数の筐体を固定する付勢力が一定となり、高精度且つ確実に複数の筐体を固定することができると共に、レンズ鏡筒内部の省スペース化を実現することができる。
【００２１】
また、規制部材を案内部材の他方の端部に着脱可能に係合または締結することで、粘着テープを用いた場合と比較し熱及び衝撃等に対する耐久性が高く、ねじや粘着テープを用いた場合と比較し複数の筐体の組立及び分解が容易となる。
【００２２】
また、案内部材により複数の筐体を光軸方向に連結し、係止部材により複数の筐体の連結方向端部を係止し、規制部材により案内部材の他方の端部の光軸方向の位置を規制することで、同様に、案内部材にたわみが生じることがなく、案内部材により精度良くレンズホルダを支持することができるため、レンズの位置精度を向上させることができる。
【発明を実施するための最良の形態】
【００２３】
以下、本発明の実施の形態を図面を参照して説明する。
【００２４】
［第１の実施の形態］
図１は、本発明の第１の実施の形態に係るレンズ鏡筒の構成を示す断面斜視図、図２は、レンズ鏡筒の構成を示す分解斜視図である。
【００２５】
図１及び図２において、レンズ鏡筒１は、例えばビデオカメラやスチルカメラ等の撮像装置に装着されるものであり、前部筐体２及び後部筐体３を備えている。前部筐体２は、ガイドバー支持孔２ａ、２ｂを備え、後部筐体３は、ガイドバー支持孔３ａ、３ｂを備えている。レンズ鏡筒１の内部には、２本のガイドバー５、６が、レンズ鏡筒１の長手方向に相当する光軸と略平行に、且つレンズ鏡筒１の内壁部に沿った状態で配設されている。ガイドバー５、６は、それぞれ、前端部が前部筐体２に固定され、後端部が後部筐体３に固定されている。また、ガイドバー５、６は、それぞれ、前端部にばね支持部５ａ、６ａを備え、後端部に係合溝５ｂ、６ｂを備えている。
【００２６】
また、レンズ鏡筒１の内部には、レンズホルダ４が、ガイドバー５、６に支持された状態で且つ光軸方向に移動可能に配設されている。レンズホルダ４は、スリーブ部４ａ、Ｕ字溝４ｂを備えている。レンズホルダ４は、ガイドバー６側に配設されたＵ字溝４ｂがガイドバー６に係合され、且つガイドバー５側に配設されたスリーブ部４ａにガイドバー５が貫通される。レンズホルダ４を不図示のステッピングモータ等により駆動することで、レンズホルダ４をガイドバー５、６を介して光軸方向に進退移動させる。図中７、８はコイルばね（以下ばねと略称）、９、１０はＥ型止め輪である。
【００２７】
次に、本実施の形態のレンズ鏡筒の組立手順について図１乃至図４を参照しながら説明する。
【００２８】
図３は、レンズ鏡筒の付勢機構前部の構成を示す拡大断面図、図４は、レンズ鏡筒の付勢機構後部の構成を示す拡大断面図である。
【００２９】
図３及び図４において、両図はそれぞれ図１におけるＡ部及びＢ部を拡大したものであり、ガイドバー５の支持状態を表している。尚、ガイドバー６の支持構造もガイドバー５の支持構造と同様であり、図示は省略する。レンズ鏡筒の組立を行う際は、先ず、ガイドバー５、６の後端部の係合溝５ｂ、６ｂ側から、ばね７、８をそれぞれ挿入し（図２）、ガイドバー５、６の前端部に位置するばね支持部５ａ、６ａに、ばね７、８をそれぞれ当接させる（図３）。
【００３０】
次に、上記ばね７、８を挿入したガイドバー５、６を、その後端部側から、前部筐体２のガイドバー支持孔２ａ、２ｂにそれぞれ挿入する（図３）。前部筐体２のガイドバー支持孔２ａ、２ｂの径は、ガイドバー５、６の径に対して僅かに（例えば数μｍ〜数１０μｍ程度）大きく設定されている。これにより、ガイドバー５、６が前部筐体２に対して、光軸に垂直な面においては精密に位置決めされながら、光軸方向には摺動自在に支持される。
【００３１】
次に、上記前部筐体２のガイドバー支持孔２ａ、２ｂを貫通させたガイドバー５、６を、レンズホルダ４のスリーブ部４ａ及びＵ字溝４ｂにそれぞれ挿入し、レンズホルダ４を光軸方向へ移動可能にガイドバー５、６に支持させる。この場合、本実施の形態では、１個のレンズホルダ４のみでガイドバー５、６を支持する構成としているが、上記と同様の支持構造により、複数個のレンズホルダによりガイドバー５、６を支持する構成としてもよい。
【００３２】
更に、上記レンズホルダ４のスリーブ部４ａ及びＵ字溝４ｂに挿入したガイドバー５、６を、後部筐体３のガイドバー支持孔３ａ、３ｂにそれぞれ挿入する（図４）。後部筐体３のガイドバー支持孔３ａ、３ｂの径も、前部筐体２のガイドバー支持孔２ａ、２ｂの径と同様に、ガイドバー５、６の径に対して僅かに大きく設定されている。これにより、ガイドバー５、６が後部筐体３に対して、光軸に垂直な面においては精密に位置決めされながら、光軸方向には摺動自在に支持される。
【００３３】
尚、前部筐体２と後部筐体３の、光軸に垂直な面内の相対位置に関しては、上記図７に示した従来例と同様に、不図示のダボまたは位置規制面等により位置決めがなされるものである。
【００３４】
次に、本実施の形態の特徴となるレンズ鏡筒における前部筐体２、後部筐体３に対するガイドバー５、６等の組立動作について説明する。
【００３５】
上述したように、前部筐体２、後部筐体３にガイドバー５、６、ばね７、８及びレンズホルダ４を組み込んだ後、図３に示す矢印の方向に、ばね７、８を圧縮しつつ、ガイドバー５、６の前端をそれぞれ押し込む。それに伴い、後部筐体３の規制面３ｃ、３ｄ（図１、図４）から、ガイドバー５、６の係合溝５ｂ、６ｂがそれぞれ現れる。更に、ガイドバー５、６の係合溝５ｂ、６ｂに対して、着脱可能な規制部材であるＥ型止め輪９、１０を図４に示す矢印の方向から係合させる。以上の手順で組立が完了する。
【００３６】
次に、本実施の形態のレンズ鏡筒における付勢構造について説明する。
【００３７】
先ず、ガイドバー５、６に作用する付勢力により、ガイドバー５、６のたわみを防止する付勢構造について説明する。
【００３８】
上述した手順による組立後、ガイドバー５、６は、その光軸方向の位置を、後端はＥ型止め輪９、１０に規制され、且つ前端はばね７、８に付勢されることとなる（図１）。即ち、ガイドバー５、６には、図１に示す矢印Ｐの方向に光軸方向の引張力が作用することとなる。
【００３９】
このように、本実施の形態では、ガイドバー５、６に光軸方向の引張力を作用させることにより、レンズホルダ４の支持部材として従来よりも小径で剛性の低いガイドバーを用いた場合でも、ガイドバー自身がたわむことなく、精度良くレンズホルダ４を支持することが可能である。
【００４０】
更に、上記図７に示した従来例のレンズ鏡筒のような、筐体の保持部への圧入によるガイドバー支持構造では、筐体への組込み時にガイドバーを保持部に圧入した際に、たわみが生じる可能性があった。
【００４１】
一方、本実施の形態では、前部筐体２、後部筐体３への組込み時から常にガイドバー５、６に対して光軸方向の引張力が作用しており、組込み時においてもガイドバー５、６にたわみが生じることがないため、従来のガイドバー支持構造と比較して精度良くレンズホルダ４を支持することが可能である。
【００４２】
また、本実施の形態では、ガイドバー５、６の付勢手段としてコイルばねを用いているため、付勢力が安定しており、組込み時においてレンズ鏡筒内部の各部品に一定の付勢力が加わることで、レンズ鏡筒をバラツキなく量産することが可能である。
【００４３】
以上のような付勢構造により、従来よりも小径なガイドバーを用いた際でも、ガイドバー５、６にたわみが生じることがなく、レンズホルダ４を精度良く支持することができるため、レンズホルダ４によりレンズを高精度に保持することが可能である。また、ガイドバー５、６の小径化及びそれを受けるレンズホルダ４のスリーブ部４ａの小径化が可能となることから、レンズ鏡筒内部の省スペース化を実現することができる。
【００４４】
次に、前部筐体２及び後部筐体３に作用する付勢力により、前部筐体２及び後部筐体３を筐体固定用ねじ等を用いずに固定する付勢構造について説明する。
【００４５】
上述した手順による組立後、前部筐体２はばね７、８に、後部筐体３はＥ型止め輪９、１０に挟み込まれる形となり、図１に示す矢印Ｃのような、前部筐体２及び後部筐体３を光軸方向に圧縮する付勢力が作用することとなる。
【００４６】
このような付勢構造により、前部筐体２及び後部筐体３が付勢力Ｃにより圧縮固定されることとなり、別途、筐体固定用ねじを使用したり該ねじの受け部を配設したりする必要がなく、レンズ鏡筒内部における大幅な省スペース化を実現できることになる。
【００４７】
また、前部筐体２及び後部筐体３の固定は、Ｅ型止め輪９、１０等の規制部材で行うため、上記従来例のような粘着テープを用いた固定方法と比較しても、熱及び衝撃等に対する耐久性、固定の確実性の点において優れている。
【００４８】
更に、Ｅ型止め輪９、１０等の着脱可能な規制部材を用いるため、筐体固定用ねじや粘着テープを用いた固定方法と比較して、前部筐体２及び後部筐体３の組立及び分解が容易であるという利点もある。
【００４９】
また、一般のレンズ鏡筒において、レンズ鏡筒正面から見た２本のガイドバーは、レンズホルダによるレンズの保持精度を高めるために、可能な限りレンズ径方向外方に配設され、且つ光軸中心に対し略点対称もしくは略線対称となる位置に配設されていることが多い。そのため、本実施の形態のようにガイドバー５、６を筐体規制部材として用いた場合、固定力が作用する位置としてバランスも良好である。
【００５０】
以上のような構造により、上記従来例のように複数の筐体を固定するねじが不要であるため、レンズ鏡筒内部における大幅な省スペース化が可能であり、レンズ鏡筒が小径化した場合でも、前部筐体２及び後部筐体３を無理なく配設することができる。更に、耐久性や確実性、及び組立・分解性においても優れている。
【００５１】
以上説明したように、本実施の形態によれば、前部筐体２及び後部筐体３にガイドバー５、６、ばね７、８及びレンズホルダ４を組み込み、ガイドバー５、６によりレンズホルダ４を光軸方向に案内する構成のレンズ鏡筒において、ガイドバー５、６の後端部をＥ型止め輪９、１０で規制し且つ前端部をばね７、８で付勢することで、ガイドバー５、６に対して光軸方向に引張力を作用させ、前部筐体２及び後部筐体３を光軸方向に圧縮する構造とする。
【００５２】
これにより、レンズホルダ４を支持する部材として、十分に剛性を確保できない小径のガイドバー５、６を用いた場合でも、ガイドバー５、６にたわみが生じることがなく、従来のガイドバー保持構造と比較した場合、ガイドバー５、６により精度良くレンズホルダ４を支持することができるため、レンズの位置精度を向上させることができるという効果がある。
【００５３】
また、前部筐体２をばね７、８で且つ後部筐体３をＥ型止め輪９、１０で挟み込み、前部筐体２及び後部筐体３を光軸方向に圧縮する付勢力を作用させるため、従来のように筐体固定用ねじを使用したり該ねじの受け部を配設したりすることなく、前部筐体２及び後部筐体３を確実に固定することができると共に、レンズ鏡筒内部の省スペース化を実現できるという効果がある。
【００５４】
また、前部筐体２及び後部筐体３をＥ型止め輪９、１０を介して固定するため、粘着テープを用いた固定方法と比較した場合、熱及び衝撃等に対する耐久性が高く、筐体固定用ねじや粘着テープを用いた固定方法と比較した場合、前部筐体２及び後部筐体３の組立及び分解が容易であるという効果がある。
【００５５】
また、ガイドバー５、６の付勢手段としてガイドバー５、６と同軸に配置されるコイルばねを用いているため、前部筐体２及び後部筐体３を固定する付勢力が一定となり、高精度且つ確実に前部筐体２及び後部筐体３を固定することができると共に、レンズ鏡筒内部の省スペース化を実現できるという効果がある。
【００５６】
［第２の実施の形態］
本発明の第２の実施の形態は、上述した第１の実施の形態に対して、下記の点において相違する。本実施の形態のその他の要素は、上述した第１の実施の形態（図１、図２）の対応するものと同一なので、説明を省略する。
【００５７】
図５は、本実施の形態に係るレンズ鏡筒の付勢機構前部の構成を示す拡大断面図、図６は、レンズ鏡筒の付勢機構後部の構成を示す拡大断面図である。
【００５８】
図５及び図６において、両図は上述した第１の実施の形態の図３及び図４に対応するものであり、ガイドバー５の支持状態を表している。尚、ガイドバー６の支持構造もガイドバー５の支持構造と同様であり、図示及び説明は省略する。本実施の形態のレンズ鏡筒は、上述した第１の実施の形態のレンズ鏡筒と一部を除いて同様の構成であるため、説明の便宜上、先に示した構成部材に対しては同一の符号を付すものとする。
【００５９】
上述した第１の実施の形態では、ガイドバー５、６の前端部及び後端部に対して、ばね７、８とＥ型止め輪９、１０をそれぞれ装着することにより付勢力を作用させているが、本実施の形態では、ばね及びＥ型止め輪を使用せず、ナット１１の締め付けにより付勢力を作用させる点が相違する。
【００６０】
即ち、図５に示すように、ガイドバー５の前端部にはばねを挿入せず、ガイドバー５の前端部の支持部５ｃが前部筐体２の規制面２ｃに直接接する構造となっている。また、図６に示すように、ガイドバー５の後端部にねじ部５ｄを形成し、このねじ部５ｄにナット１１を係合させ締結することにより、ガイドバー５に付勢力を作用させている。
【００６１】
ガイドバー５に対するナット１１の締結により、ガイドバー５には引張力Ｐが作用し、前部筐体２及び後部筐体３には光軸方向に圧縮力Ｃが作用することとなる。ガイドバー６についても、ガイドバー５の場合と同様に、引張力Ｐが作用する。ナット１１は、ガイドバー５、６に締結されると共に、後部筐体３の規制面３ｃ、３ｄに当接する（図６）。
【００６２】
以上説明したように、本実施の形態によれば、前部筐体２及び後部筐体３にガイドバー５、６及びレンズホルダ４を組み込み、ガイドバー５、６によりレンズホルダ４を光軸方向に案内する構成のレンズ鏡筒において、ガイドバー５、６の前端部の支持部を前部筐体２の規制面に当接させ、ガイドバー５、６の後端部のねじ部にナットを締結することで、ガイドバー５、６に対して光軸方向に引張力を作用させ、前部筐体２及び後部筐体３を光軸方向に圧縮する構造とする。
【００６３】
これにより、上述した第１の実施の形態と同様に、十分に剛性を確保できない小径のガイドバー５、６を用いた場合でも、ガイドバー５、６にたわみが生じることがなく、従来のガイドバー保持構造と比較した場合、ガイドバー５、６により精度良くレンズホルダ４を支持することができるため、レンズの位置精度を向上させることができるという効果がある。
【００６４】
特に、本実施の形態の構成では、ガイドバー５、６の後端部をナットで締結することで、ガイドバー５、６に対しより強い付勢力が作用するため、強固且つ確実に前部筐体２及び後部筐体３を固定し、ガイドバー５、６のたわみを防止することができるという効果がある。
【００６５】
また、ガイドバー５、６の後端部をナットで締結することにより、前部筐体２及び後部筐体３を光軸方向に圧縮する付勢力を作用させるため、従来のように筐体固定用ねじを使用したり該ねじの受け部を配設したりすることなく、前部筐体２及び後部筐体３を確実に固定することができ、レンズ鏡筒内部の省スペース化を実現できるという効果がある。
【００６６】
［他の実施の形態］
上記第１及び第２の実施の形態では、レンズ鏡筒を前部筐体２及び後部筐体３の２つの筐体から構成した場合を例に挙げたが、本発明は、これに限定されるものではなく、レンズ鏡筒を３つ以上の筐体から構成する場合にも適用可能である。この場合も上記と同様の効果を奏することができる。
【００６７】
上記第１及び第２の実施の形態では、ガイドバー５、６の前端部を付勢する部材としてコイルばねを用いた場合を例に挙げたが、本発明は、これに限定されるものではなく、コイルばね以外の弾性体を用いる場合にも適用可能である。この場合も上記と同様の効果を奏することができる。
【図面の簡単な説明】
【００６８】
【図１】本発明の第１の実施の形態に係るレンズ鏡筒の構成を示す断面斜視図である。
【図２】レンズ鏡筒の構成を示す分解斜視図である。
【図３】レンズ鏡筒の付勢機構前部の構成を示す拡大断面図である。
【図４】レンズ鏡筒の付勢機構後部の構成を示す拡大断面図である。
【図５】本発明の第２の実施の形態に係るレンズ鏡筒の付勢機構前部の構成を示す拡大断面図である。
【図６】レンズ鏡筒の付勢機構後部の構成を示す拡大断面図である。
【図７】従来例に係るレンズ鏡筒の構成を示す分解斜視図である。
【符号の説明】
【００６９】
１  レンズ鏡筒
２  前部筐体（筐体）
２ａ、２ｂ  ガイドバー支持孔
２ｃ  規制面（連結方向一端部）
３  後部筐体（筐体）
３ａ、３ｂ  ガイドバー支持孔
３ｃ、３ｄ  規制面（連結方向他端部）
４  レンズホルダ（レンズ保持部材）
４ａ  スリーブ部
４ｂ  Ｕ字溝
５、６  ガイドバー（案内部材）
５ａ、６ａ  ばね支持部
５ｂ、６ｂ  係合溝
５ｃ  支持部（係止部材）
５ｄ  ねじ部
７、８  ばね（付勢手段）
９、１０  Ｅ型止め輪（規制部材）
１１  ナット（規制部材）
【図１】
2006215340.tif 000003
【図２】
2006215340.tif 000004
【図３】
2006215340.tif 000005
【図４】
2006215340.tif 000006
【図５】
2006215340.tif 000007
【図６】
2006215340.tif 000008
【図７】
2006215340.tif 000009